(57)【要約】【課題】梱包方法において、物品をより簡単に梱包できるようにする。【解決手段】梱包箱１は、底蓋２と、底蓋２の底縁２１ａに連続して設けられ底蓋２に対して折り曲げ可能な下フラップ２０ａと、天蓋３と、天蓋３の天縁３１ａに連続して設けられ天蓋に対して折り曲げ可能な上フラップ３０ａと、を備える。物品Ｐは、底蓋２と天蓋３との間に配置される。梱包箱１は、フィルム４で包まれる。それから、フィルム４は、収縮される。物品Ｐは、フィルム４の収縮によって底蓋２と天蓋３との間に挟み込まれる。下フラップ２０ａおよび上フラップ３０ａは、フィルム４の収縮によって折り曲げられ、互いに接触する。【選択図】図３
2019119528.tif 000002
【特許請求の範囲】
【請求項１】
梱包箱および収縮性を有するフィルムを用いて物品を梱包する梱包方法であって、
前記梱包箱は、
底蓋と、
前記底蓋の第１底縁に連続して設けられ、前記底蓋に対して折り曲げ可能な第１下フラップと、
天蓋と、
前記天蓋の第１天縁に連続して設けられ、前記天蓋に対して折り曲げ可能な第１上フラップと、を備え、
前記梱包方法は、
前記物品を前記底蓋と前記天蓋との間に配置し、
前記梱包箱を前記フィルムで包み、
前記フィルムを収縮させ、
前記物品を前記フィルムの収縮によって前記底蓋と前記天蓋との間で挟み込み、
前記第１下フラップおよび前記第１上フラップを前記フィルムの収縮によって折り曲げて前記第１下フラップおよび前記第１上フラップを互いに接触させる、
こと特徴とする梱包方法。
【請求項２】
前記第１下フラップは、直線形状の先端縁を含み、
前記第１上フラップは、直線形状の先端縁を含み、
前記梱包方法は、
前記第１下フラップおよび前記第１上フラップを前記フィルムの収縮によって折り曲げて、前記第１下フラップの前記先端縁および前記第１上フラップの前記先端縁を互いに線接触させる、
ことを特徴とする請求項１に記載の梱包方法。
【請求項３】
前記第１下フラップは、
その先端縁に形成された少なくとも１つの下凸部と、
その先端縁に形成された少なくとも１つの下凹部と、を含み、
前記第１上フラップは、
その先端縁に形成された少なくとも１つの上凸部と、
その先端縁に形成された少なくとも１つの上凹部と、を含み、
前記梱包方法は、
前記第１下フラップおよび前記第１上フラップを前記フィルムの収縮によって折り曲げて、前記少なくとも１つの下凸部を前記少なくとも１の上凹部に係合させるとともに、前記少なくとも１の上凸部を前記少なくとも１つの下凹部に係合させる、
ことを特徴とする請求項１に記載の梱包方法。
【請求項４】
複数の前記下凸部と複数の前記下凹部とが、連続して交互に並んでおり、
複数の前記上凸部と複数の前記上凹部とが、連続して交互に並んでいる、
ことを特徴とする請求項３に記載の梱包方法。
【請求項５】
前記梱包箱は、さらに、
前記底蓋の前記第１底縁とは反対側の第２底縁に連続して設けられ、前記底蓋に対して折り曲げ可能な第２下フラップと、
前記天縁の前記第１天縁とは反対側の第２天縁に連続して設けられ、前記天蓋に対して折り曲げ可能な第２上フラップと、を備える、
ことを特徴とする請求項１から請求項４のいずれか１項に記載の梱包方法。
【請求項６】
前記梱包方法は、
前記第２下フラップおよび前記第２上フラップを前記フィルムの収縮によって折り曲げて前記第２下フラップおよび前記第２上フラップを互いに接触させる、
ことを特徴とする請求項５に記載の梱包方法。
【請求項７】
前記第２下フラップと前記第２上フラップとが互いに対して折り曲げ可能に連続して設けられている、
ことを特徴とする請求項５に記載の梱包方法。
【請求項８】
前記フィルムとしてシュリンクフィルムを用い、前記フィルムを熱によって収縮させる、
ことを特徴とする請求項１から請求項７のいずれか１項に記載の梱包方法。
【請求項９】
物品を梱包するために収縮性を有するフィルムと共に用いられる梱包箱であって、
前記梱包箱は、
底蓋と、
前記底蓋の第１底縁に連続して設けられ、前記底蓋に対して折り曲げ可能な第１下フラップと、
天蓋と、
前記天蓋の第１天縁に連続して設けられ、前記天蓋に対して折り曲げ可能な第１上フラップと、を備え、
前記第１下フラップは、
その先端縁に形成された少なくとも１つの第１下凸部と、
その先端縁に形成された少なくとも１つの第１下凹部と、を含み、
前記第１上フラップは、
その先端縁に形成された少なくとも１つの第１上凸部と、
その先端縁に形成された少なくとも１つの第１上凹部と、を含み、
前記少なくとも１つの第１下凸部および前記少なくとも１つの第１上凹部は、前記第１下フラップおよび前記第１上フラップが互いに向かって折り曲げられたとき、互いに係合するように設けられ、
前記少なくとも１つの第１下凹部および前記少なくとも１つの第１上凸部は、前記第１下フラップおよび前記第１上フラップが互いに向かって折り曲げられたとき、互いに係合するように設けられている、
ことを特徴する梱包箱。
【請求項１０】
複数の前記第１下凸部と複数の前記第１下凹部とが、連続して交互に並んでおり、
複数の前記第１上凸部と複数の前記第１上凹部とが、連続して交互に並んでいる、
ことを特徴とする請求項９に記載の梱包箱。
【請求項１１】
前記少なくとも１つの第１下凸部および前記少なくとも１つの第１上凸部は、それぞれ、尖ったまたは丸みをおびた先端を有する、
ことを特徴とする請求項９に記載の梱包箱。
【請求項１２】
前記梱包箱は、さらに、
前記底蓋の第１底縁とは反対側の第２底縁に連続して設けられ、前記底蓋に対して折り曲げ可能な第２下フラップと、
前記天蓋の第１天縁とは反対側の第２天縁に連続して設けられ、前記天蓋に対して折り曲げ可能な第２上フラップと、を備える、
ことを特徴とする請求項９に記載の梱包箱。
【請求項１３】
前記第２下フラップと前記第２上フラップとが互いに対して折り曲げ可能に連続して設けられている、
ことを特徴とする請求項１２に記載の梱包箱。
【請求項１４】
前記第２下フラップは、
その先端縁に形成された少なくとも１つの第２下凸部と、
その先端縁に形成された少なくとも１つの第２下凹部と、を含み、
前記第２上フラップは、
その先端縁に形成された少なくとも１つの第２上凸部と、
その先端縁に形成された少なくとも１つの第２上凹部と、を含み、
前記少なくとも１つの第２下凸部および前記少なくとも１つの第２上凹部は、前記第２下フラップおよび前記第２上フラップが互いに向かって折り曲げられたとき、互いに係合するように設けられ、
前記少なくとも１つの第２下凹部および前記少なくとも１つの第２上凸部は、前記第２下フラップおよび前記第２上フラップが互いに向かって折り曲げられたとき、互いに係合するように設けられている、
ことを特徴とする請求項１２に記載の梱包箱。
【請求項１５】
複数の前記第２下凸部と複数の前記第２下凹部とが、連続して交互に並んでおり、
複数の前記第２上凸部と複数の前記第２上凹部とが、連続して交互に並んでいる、
ことを特徴とする請求項１４に記載の梱包箱。
【請求項１６】
前記天蓋および前記底蓋は、それぞれ長方形状であり、互いに同一の形状である、
ことを特徴とする請求項９から請求項１５のいずれか１項に記載の梱包箱。
【発明の詳細な説明】
【技術分野】
【０００１】
本発明は、梱包箱およびフィルムを用いて物品を梱包する梱包方法、および、当該方法に適した梱包箱に関する。
【背景技術】
【０００２】
書籍、ＣＤ、ＤＶＤなどの物品は、オンラインショッピング、通信販売、テレビショッピングなどで購入されることが一般的になってきている。このような物品は、梱包された状態で配達され、物品の大きさによっては、配達先のポストに投函される。物品は、典型的には、その内容が知得されないように梱包される。
【０００３】
例えば、特許文献１では、梱包箱およびフィルムを用いて物品を梱包する梱包方法が提案されている。梱包箱は、ケース本体と、天蓋とを備える。ケース本体は、底蓋と、底蓋の各底縁に連続して設けられ底蓋に対して折り曲げ可能なフラップとを備える。フィルムは、シュリンクフィルムである。
【０００４】
物品が、ケース本体の底蓋に載置される。各フラップが物品の側面に接触するまで折り曲げられる。次いで、天蓋がケース本体に被せられ、物品は、底蓋と天蓋との間に配置される。次いで、梱包箱がシュリンクフィルムで包まれ、シュリンクフィルムが熱収縮される。これによって、物品の梱包が完了する。
【０００５】
この梱包方法によれば、物品は、梱包箱内で拘束されるので、配達中に梱包箱内で動くことはない。また、物品は、梱包箱で覆われるので、その内容が第三者に知得されることが防止される。
【先行技術文献】
【特許文献】
【０００６】
【特許文献１】特開２００８−５６２４５号公報
【発明の概要】
【発明が解決しようとする課題】
【０００７】
しかしながら、この梱包方法によれば、フラップの折曲げは、アームや手作業によって行なわれる。アームが用いられる場合、アーム駆動機構が必要である。また、作業者がフラップを折り曲げる場合、その作業は非常に面倒である。
【０００８】
そこで、本発明は、梱包箱およびフィルムを用いて物品を梱包する梱包方法において、物品をより簡単に梱包できるようにする。また、本発明は、当該梱包方法に適した梱包箱を提供する。
【課題を解決するための手段】
【０００９】
本発明の第１態様によれば、梱包箱および収縮性を有するフィルムを用いて物品を梱包する梱包方法が提供され、
前記梱包箱は、
底蓋と、
前記底蓋の第１底縁に連続して設けられ、前記底蓋に対して折り曲げ可能な第１下フラップと、
天蓋と、
前記天蓋の第１天縁に連続して設けられ、前記天蓋に対して折り曲げ可能な第１上フラップと、を備え、
前記梱包方法は、
前記物品を前記底蓋と前記天蓋との間に配置し、
前記梱包箱を前記フィルムで包み、
前記フィルムを収縮させ、
前記物品を前記フィルムの収縮によって前記底蓋と前記天蓋との間で挟み込み、
前記第１下フラップおよび前記第１上フラップを前記フィルムの収縮によって折り曲げて前記第１下フラップおよび前記第１上フラップを互いに接触させる。
【００１０】
前記第１下フラップは、直線形状の先端縁を含んでよい。
前記第１上フラップは、直線形状の先端縁を含んでよい。
前記梱包方法は、
前記第１下フラップおよび前記第１上フラップを前記フィルムの収縮によって折り曲げて前記第１下フラップの前記先端縁および前記第１上フラップの前記先端縁を互いに線接触させてよい。
【００１１】
前記第１下フラップは、
当該第１下フラップの先端縁に形成された少なくとも１つの下凸部と、
当該第１下フラップの先端縁に形成された少なくとも１つの下凹部と、を含んでよい。
前記第１上フラップは、
当該第１上フラップの先端縁に形成された少なくとも１つの上凸部と、
当該第１上フラップの先端縁に形成された少なくとも１つの上凹部と、を含んでよい。
前記梱包方法は、
前記第１下フラップおよび前記第１上フラップを前記フィルムの収縮によって折り曲げて、前記少なくとも１つの下凸部を前記少なくとも１の上凹部に係合させるとともに、前記少なくとも１の上凸部を前記少なくとも１つの下凹部に係合させる。
【００１２】
複数の前記下凸部と複数の前記下凹部とが、連続して交互に並んでよく、複数の前記上凸部と複数の前記上凹部とが、連続して交互に並んでよい。
【００１３】
前記梱包箱は、さらに、
前記底蓋の前記第１底縁とは反対側の第２底縁に連続して設けられ、前記底蓋に対して折り曲げ可能な第２下フラップと、
前記天縁の前記第１天縁とは反対側の第２天縁に連続して設けられ、前記天蓋に対して折り曲げ可能な第２上フラップと、を備えてよい。
【００１４】
前記梱包方法は、
前記第２下フラップおよび前記第２上フラップを前記フィルムの収縮によって折り曲げて前記第２下フラップおよび前記第２上フラップを互いに接触さてよい。
【００１５】
前記第２下フラップと前記第２上フラップとが互いに対して折り曲げ可能に連続して設けられてよい。
【００１６】
前記フィルムとしてシュリンクフィルムを用い、前記フィルムを熱によって収縮させよい。
【００１７】
本発明の第２態様によれば、物品を梱包するために収縮性を有するフィルムと共に用いられる梱包箱が提供され、
前記梱包箱は、
底蓋と、
前記底蓋の第１底縁に連続して設けられ、前記底蓋に対して折り曲げ可能な第１下フラップと、
天蓋と、
前記天蓋の第１天縁に連続して設けられ、前記天蓋に対して折り曲げ可能な第１上フラップと、を備える。
前記第１下フラップは、
当該第１下フラップの先端縁に形成された少なくとも１つの第１下凸部と、
当該第１下フラップの先端縁に形成された少なくとも１つの第１下凹部と、を含む。
前記第１上フラップは、
当該第１上フラップの先端縁に形成された少なくとも１つの第１上凸部と、
当該第１上フラップの先端縁に形成された少なくとも１つの第１上凹部と、を含む。
前記少なくとも１つの第１下凸部および前記少なくとも１つの第１上凹部は、前記第１下フラップおよび前記第１上フラップが互いに向かって折り曲げられたとき、互いに係合するように設けられ、
前記少なくとも１つの第１下凹部および前記少なくとも１つの第１上凸部は、前記第１下フラップおよび前記第１上フラップが互いに向かって折り曲げられたとき、互いに係合するように設けられている。
【００１８】
複数の前記第１下凸部と複数の前記第１下凹部とが、連続して交互に並んでよく、複数の前記第１上凸部と複数の前記第１上凹部とが、連続して交互に並んでよい。
【００１９】
前記少なくとも１つの第１下凸部および前記少なくとも１つの第１上凸部は、それぞれ、尖ったまたは丸みをおびた先端を有してよい。
【００２０】
前記梱包箱は、さらに、
前記底蓋の第１底縁とは反対側の第２底縁に連続して設けられ、前記底蓋に対して折り曲げ可能な第２下フラップと、
前記天蓋の第１天縁とは反対側の第２天縁に連続して設けられ、前記天蓋に対して折り曲げ可能な第２上フラップと、を備えてよい。
【００２１】
前記第２下フラップと前記第２上フラップとが互いに対して折り曲げ可能に連続して設けられてよい。
【００２２】
前記第２下フラップは、
当該第２下フラップの先端縁に形成された少なくとも１つの第２下凸部と、
当該第２下フラップの先端縁に形成された少なくとも１つの第２下凹部と、を含んでよい。
前記第２上フラップは、
当該第２上フラップの先端縁に形成された少なくとも１つの第２上凸部と、
当該第２上フラップの先端縁に形成された少なくとも１つの第２上凹部と、を含んでよい。
そして、前記少なくとも１つの第２下凸部および前記少なくとも１つの第２上凹部は、前記第２下フラップおよび前記第２上フラップが互いに向かって折り曲げられたとき、互いに係合するように設けられてよい。さらに、前記少なくとも１つの第２下凹部および前記少なくとも１つの第２上凸部は、前記第２下フラップおよび前記第２上フラップが互いに向かって折り曲げられたとき、互いに係合するように設けられてよい。
【００２３】
複数の前記第２下凸部と複数の前記第２下凹部とが、連続して交互に並んでよく、複数の前記第２上凸部と複数の前記第２上凹部とが、連続して交互に並んでよい。
【００２４】
前記天蓋および前記底蓋は、それぞれ長方形状であり、互いに同一の形状であってよい。
【図面の簡単な説明】
【００２５】
【図１】一実施形態に係る梱包箱の展開図である。
【図２】図１の領域Ｔの拡大図である。
【図３】図３Ａ−図３Ｃは、一実施形態に係る梱包方法を説明する断面図である。
【図４】図４Ａ、図４Ｂは、一実施形態に係る梱包方法を説明する断面図である。
【図５】本発明の一実施形態に係る梱包方法を説明する断面図である。
【図６】図６Ａ−図６Ｃは、上突片および下突片の動作を説明する図である。
【図７】物品がフィルムおよび図１の梱包箱によって梱包された状態を示す斜視図である。
【図８】他の実施形態に係る梱包箱の展開図である。
【図９】さらに別の実施形態に係る梱包箱の展開図である。
【図１０】さらに別の実施形態に係る梱包方法を説明する断面図である。
【図１１】物品がフィルムおよび図９の梱包箱によって梱包された状態を示す平面図である。
【図１２】図１２Ａは、図１１のＳ−Ｓ線断面図であり、図１２Ｂは、図１１のＴ−Ｔ線断面図であり、図１２Ｃは、図１１の梱包箱の部分斜視図である（フィルムの図示は省略されている）。
【図１３】図９の梱包箱が閉じられた状態を示す部分側面図である。
【図１４】さらに別の実施形態に係る梱包箱の展開図である。
【図１５】物品がフィルムおよび図１４の梱包箱によって梱包された状態を示す平面図である。
【図１６】さらに別の実施形態に係る梱包箱の展開図である。
【発明を実施するための形態】
【００２６】
以下、図面を参照して、本発明の実施形態に係る梱包箱および梱包方法が説明される。各実施形態において、同一または類似の構成については、同一の符号が付される。
【００２７】
［第１実施形態］
図１は、梱包箱１の展開図である。梱包箱１は、例えばダンボール等の紙からなる。
【００２８】
梱包箱１は、第１、第２、第３および第４底縁２１ａ，２１ｂ，２１ｃ，２１ｄを有する長方形状の底蓋２を備える。梱包箱１は、第１底縁２１ａに連続して設けられた第１下フラップ２０ａと、第１底縁２１ａとは反対側の第２底縁２１ｂに連続して設けられた第２下フラップ２０ｂと、をさらに備える。梱包箱１は、第３底縁２１ｃに連続して設けられた第３下フラップ２０ｃと、第３底縁２１ｃとは反対側の第４底縁２１ｄに連続して設けられた第４下フラップ２０ｄと、をさらに備える。
【００２９】
折り曲げ線が、底縁２１ａ−２１ｄに沿って形成されている。したがって、第１−第４下フラップ２０ａ−２０ｄは、それぞれ、第１−第４底縁２１ａ−２１ｄに沿って底蓋２に対して折り曲げ可能である。
【００３０】
梱包箱１は、第１、第２、第３および第４天縁３１ａ，３１ｂ，３１ｃ，３１ｄを有する長方形状の天蓋３を備える。底蓋２と天蓋３とは互いに同じ形状である。梱包箱１は、第１天縁３１ａに連続して設けられた第１上フラップ３０ａと、第１天縁３１ａとは反対側の第２天縁３１ｂに連続して設けられた第２上フラップ３０ｂと、をさらに備える。梱包箱１は、第３天縁３１ｃに連続して設けられた第３上フラップ３０ｃと、第３天縁３１ｃとは反対側の第４天縁３１ｄに連続して設けられた第４上フラップ３０ｄと、をさらに備える。
【００３１】
折り曲げ線が、天縁３１ａ−３１ｄに沿って形成されている。したがって、第１−第４上フラップ３０ａ−３０ｄは、それぞれ、第１−第４天縁３１ａ−３１ｄに沿って天蓋３に対して折り曲げ可能である。
【００３２】
フラップ２０ａ、２０ｂ，３０ａ，３０ｂは、互いに同じ細長い形状を有する。フラップ２０ｃ，２０ｄ，３０ｃ，３０ｄは、互いに同じ細長い形状を有する。
【００３３】
第２下フラップ２０ｂと第２上フラップ３０ｂとは互いに連続するように設けられている。折り曲げ線が、その接続縁１０に沿って形成されている。第２下フラップ２０ｂおよび第２上フラップ３０ｂは、接続縁１０に沿って互いに対して折り曲げ可能である。
【００３４】
下フラップ２０ａ，２０ｃ，２０ｄは、それぞれ、直線形状の先端縁２００ａ，２００ｃ，２００ｄを有する。上フラップ３０ａ，３０ｃ，３０ｄは、それぞれ、直線形状の先端縁３００ａ，３００ｃ，３００ｄを有する。
【００３５】
梱包箱１は、第１下フラップ２０ａの両側縁および第２下フラップ２０ｂの両側縁に連続して設けられて、対応する下フラップ２０ａ，２０ｂに対して折り曲げ可能な第１下突片２２ａと、第３下フラップ２０ｃの両側縁および第４下フラップ２０ｄの両側縁に連続して設けられ、対応する下フラップ２０ｃ，２０ｄに対して折り曲げ可能な第２下突片２２ｂと、をさらに備える。
【００３６】
梱包箱１は、第１上フラップ３０ａの両側縁および第２上フラップ３０ｂの両側縁に連続して設けられて、対応する上フラップ３０ａ，３０ｂに対して折り曲げ可能な第１上突片３２ａと、第３上フラップ３０ｃの両側縁および第４上フラップ３０ｄの両側縁に連続して設けられて、対応する上フラップ３０ｃ，３０ｄに対して折り曲げ可能な第２上突片３２ｂと、をさらに備える。
【００３７】
図２は、図１の領域Ｔの拡大図である。折り曲げ線が各下フラップの側縁２３ａ，２３ｂに沿って形成されている。各第１下突片２２ａは、側縁２３ａに沿って対応する下フラップに対して折り曲げ可能である。各第２下突片２２ｂは、側縁２３ｂに沿って対応する下フラップに対して折り曲げ可能である。下突片２２ａ，２２ｂは、略三角形状または略扇形状に形成されている。梱包箱１が展開された状態において、底蓋２の角に向けて窄まる楔状の下切欠き２４が、隣り合う第１下突片２２ａおよび第２下突片２２ｂの間に形成されている。
【００３８】
折り曲げ線が各上フラップの側縁３３ａ，３３ｂに沿って形成されている。各第１上突片３２ｂは、側縁３３ａに沿って対応する上フラップに対して折り曲げ可能である。各第２上突片３２ｂは、側縁３３ｂに沿って対応する上フラップに対して折り曲げ可能である。上突片３２ａ，３２ｂは、略三角形状または略扇形状に形成されている。梱包箱１が展開された状態において、天蓋３の角に向けて窄まる楔状の上切欠き３４が、隣り合う第１上突片３２ａおよび第２上突片３２ｂの間に形成されている。
【００３９】
図２の通り、接続縁１０に向かって窄まる楔状の中央切欠き１１が、隣り合う第１下突片２２ａと第１上突片３２ａとの間に形成されている。
【００４０】
上記の折り曲げ線は、例えば、ダンボールなどの梱包箱１の材料に形成された押し跡またはミシン線でよい。
【００４１】
次に、梱包方法が説明される。まず、上記構成の梱包箱１、および、収縮性を有するフィルム４（図３参照）が準備される。フィルム４として、熱収縮性を有するフィルム、すなわちシュリンクフィルムが用いられる。フィルム４は、透明である。不透明のフィルムが用いられてもよい。
【００４２】
梱包される物品Ｐは、実施形態では、例えばＣＤ、ＤＶＤ、書籍などのように扁平な直方形状のものである。梱包箱１は、展開された状態である。物品Ｐは、底蓋２上に置かれる。そして、図３Ａの通り、梱包箱１が接続縁１０に沿って折り曲げられ、天蓋３が物品Ｐに上から被せられ、物品Ｐが底蓋２と天蓋３との間に配置される。このとき、第１−第４下フラップ２０ａ−２０ｄは、第１−第４上フラップ３０ａ−３０ｄとそれぞれ対向する。この工程は、作業者または周知の装置によって行われる。
【００４３】
次いで、梱包箱１がフィルム４で包まれる。実施形態では、梱包箱１全体がフィルム４によって包まれる。この工程は、作業者または包装装置によって行なわれる。
【００４４】
次いで、フィルム４が収縮される。シュリンクフィルムが用いられている実施形態では、フィルム４が熱収縮される。この工程は、例えばシュリンクトンネルによって行なわれる。
【００４５】
梱包箱１を包んでいるフィルム４が収縮されると、フィルム４が底蓋２、天蓋３、下フラップ２０ａ−２０ｄおよび上フラップ３０ａ−３０ｄに密着する。フィルム４の収縮力は、梱包箱１を閉じるように作用する。図３Ａ、図３Ｂの通り、フィルム４の収縮は、底蓋２と天蓋３とを物品Ｐに向けて押し付けるので、物品Ｐは、フィルム４の収縮によって底蓋２と天蓋３との間で挟み込まれる。
【００４６】
これと同時に、フィルム４が、その収縮力によって下フラップ２０ａ−２０ｄおよび上フラップ３０ａ−３０ｄを折り曲げる。第１下フラップ２０ａは、フィルム４の収縮力によって、底蓋２に対して、第１底縁２１ａに沿って、第１上フラップ３０ａに向かって折り曲げられる。さらに、第１上フラップ３０ａは、フィルム４の収縮力によって、天蓋３に対して、第１天縁３１ａに沿って、第１下フラップ２０ａに向かって折り曲げられる。それによって、図３Ｃの通り、第１下フラップ２０ａと第１上フラップ３０ａとが互いに接触する。実施形態では、第１下フラップ２０ａおよび第１上フラップ３０ａが、フィルム４の収縮によって折り曲げられて、直線状の先端縁２００ａと直線状の先端縁３００ａとが互いに線接触する。
【００４７】
なお、天蓋３がフィルム４の収縮によって物品Ｐに向けて押し付けられる際に、第２下フラップ２０ｂおよび底蓋２が第２底縁２１ｂに沿って互いに対して折り曲げられ、第２上フラップ３０ｂおよび天蓋３が第２天縁３１ｂに沿って互いに対して折り曲げられ、第２下フラップ２０ｂおよび第２上フラップ３０ｂが接続縁１０に沿って互いに対して折り曲げられる。
【００４８】
図４Ａ、図４Ｂの通り、第３および第４下フラップ２０ｃ，２０ｄも、それぞれ、フィルム４の収縮力によって、底蓋２に対して、第３および第４底縁２１ｃ，２１ｄに沿って折り曲げられる。さらに、第３および第４上フラップ３０ｃ，３０ｄも、それぞれ、フィルム４の収縮力によって、天蓋３に対して、第３および第４天縁３１ｃ，３１ｄに沿って折り曲げられる。それによって、第３下フラップ２０ｃと第３上フラップ３０ｃとが互いに接触し、第４下フラップ２０ｄと第４上フラップ３０ｄとが互いに接触する。実施形態では、直線状の先端縁２００ｃと直線状の先端縁３００ｃとが互いに線接触し、直線状の先端縁２００ｄと直線状の先端縁３００ｄとが互いに線接触する。
【００４９】
その結果、図７の通り、梱包箱１がフィルム４の収縮によって閉じられる。物品Ｐは、梱包箱１およびフィルム４によって梱包される。
【００５０】
この梱包方法によれば、物品Ｐは、底蓋２と天蓋３との間に挟み込まれており、梱包箱１に拘束されている。したがって、物品Ｐが配送中に梱包箱１内で移動することは規制される。
【００５１】
下フラップ２０ａ，２０ｃ，２０ｄと上フラップ３０ａ，３０ｃ，３０ｄとが互いに接触しているので、物品Ｐがこれらの間を通じて覗かれて、物品Ｐの内容が知得されることが防止される。実施形態のように、先端縁２００ａ，２００ｃ，２００ｄと先端縁３００ａ，３００ｃ，３００ｄが互いに線接触していれば、隙間が全く形成されない。これにより、物品Ｐの内容が知得されることがより確実に防止される。
【００５２】
この梱包方法によれば、フラップの折曲げは、フィルム４が収縮して梱包箱１に密着する際のフィルム４の収縮を利用して行なわれる。それゆえ、フラップを折り曲げるためのアーム駆動機構や、作業者がフラップを折り曲げる面倒な作業は不要である。つまり、梱包箱１およびフィルム４を用いた物品Ｐの梱包をより簡単に行なえる。
【００５３】
下フラップ２０ａ−２０ｄおよび上フラップ３０ａ−３０ｄの折曲げ角度は、物品Ｐの高さよって決まる。物品Ｐが高いほど、折曲げ角度が大きくなる。図５に示されるように、第１下フラップ２０ａの長さと第１上フラップ３０ａの長さの和までの高さの物品Ｐであれば対応することができる。図５の物品Ｐでは、下フラップ２０ａ−２０ｄおよび上フラップ３０ａ−３０ｄは、フィルム４の収縮によって９０°（すなわち、底蓋２／天蓋３に対して直角）に折り曲げられる。
【００５４】
低い物品Ｐが梱包されると、折曲げ角度は、９０°未満である。したがって、物品Ｐが梱包されたとき、梱包箱１の角において隙間が生じる。上述の下突片２２ａ、２２ｂおよび上突片３２ａ、３２ｂは、この隙間を覆うために用いられる。以下、これらについて、図６Ａ−図６Ｃを参照して説明される。なお、図６Ａ−図６Ｃでは、フィルム４の図示が省略される。
【００５５】
図６Ａ、図６Ｂの通り、上フラップの折曲げ時に、隣り合う上突片３２ａ，３２ｂは、上切欠き３４を閉じるように、対応する上フラップと共に移動する。同様に、下フラップの折曲げ時に、隣り合う下突片２２ａ，２２ｂは、下切欠き２４を閉じるように、対応する下フラップと共に移動する。
【００５６】
上述の通り、物品Ｐが低いと、上フラップ３０ａ−３０ｄおよび下フラップ２０ａ−２０ｄの折曲げ角度が小さい。そのため、物品Ｐが梱包されたとき、上切欠き３４および下切欠き２４は完全には閉じられない。但し、このとき、その上切欠き３４および下切欠き２４は狭く、物品Ｐも低いので、物品Ｐの内容が梱包箱１の角（上切欠き３４および下切欠き２４）を通じて知得されることは実質的にない。
【００５７】
上切欠き３４および下切欠き２４が、図６Ｂの通り完全に閉じられると、図７の通り、物品Ｐが完全に梱包箱１によって隙間なく囲まれる。物品Ｐの内容が確実に知得されない。
【００５８】
物品Ｐが高いと、上切欠き３４および下切欠き２４が図６Ｂのように閉じられた後も、上フラップ３０ａ−３０ｄおよび下フラップ２０ａ−２０ｄがフィルム４の収縮によってさらに折り曲げられる。この際、図６Ｂ、図６Ｃの通り、隣り合う上突片３２ａ、３２ｂは、それらの面同士が次第に合わさりながら、それぞれ、側縁３３ａ，３３ｂに沿って梱包箱１の外方に向けて折り曲げられる。同様に、隣り合う下突片２２ａ，２２ｂは、それらの面同士が次第に合わさりながら、それぞれ、側縁２３ａ，２３ｂに沿って梱包箱１の外方に折り曲げられる。上突片３２ａ，３２ｂおよび下突片２２ａ，２２ｂは、折り曲げ可能であることにより、上フラップ３０ａ−３０ｄおよび下フラップ２０ａ−２０ｄの折曲げを邪魔しない。
【００５９】
［第２実施形態］
図８は、第２実施形態に係る梱包箱の展開図を示す。第１実施形態では、第２下フラップ２０ｂおよび第２上フラップ３０ｂが互いに連続して設けられていた。図８の通り、第２実施形態の梱包箱１では、第２下フラップ２０ｂおよび第２上フラップ３０ｂがつながっていない。したがって、底蓋２および天蓋３が互いに分離されている。第２下フラップ２０ｂは、直線形状の先端縁２００ｂを有する。第２上フラップ３０ｂは、直線形状の先端縁３００ｂを有する。
【００６０】
第２実施形態の梱包方法では、物品Ｐが底蓋２上に置かれる。次いで、下フラップ２０ａ−２０ｄが、上フラップ３０ａ−３０ｄにそれぞれ対向するように、天蓋３が物品Ｐに被せられ、物品Ｐは、底蓋２と天蓋３との間に配置される。そして、第１実施形態と同様に、梱包箱１がフィルム４によって包まれた後、フィルム４が収縮される。
【００６１】
この実施形態では、他のフラップと同様に、第２下フラップ２０ｂおよび第２上フラップ３０ｂも、それぞれ、フィルム４の収縮力によって、第２底縁２１ｂおよび第２天縁３１ｂに沿って折り曲げられて互いに接触する。すなわち、第２下フラップ２０ｂおよび第２上フラップ３０ｂが、フィルム４の収縮力によって折り曲げられて、それらの先端縁２００ｂと先端縁３００ｂとが互いに線接触する。
【００６２】
その結果、梱包箱１が閉じられ、物品Ｐが梱包箱１およびフィルム４によって梱包される。上記から明らかな通り、第２下フラップ２０ｂおよび第２上フラップ３０ｂが互いに連続して設けられていた第１実施形態では、上フラップ３０ａ−３０ｄおよび下フラップ２０ａ−２０ｄ同士の位置合わせが不要である点で有利である。
【００６３】
［第３実施形態］
図９は、第３実施形態に係る梱包箱の展開図を示す。実施形態では、下フラップ２０ａ，２０ｃ，２０ｄおよび上フラップ３０ａ，３０ｃ，３０ｄは、直線形状の先端縁に代えて、波形形状の先端縁を有する。
【００６４】
すなわち、第１下フラップ２０ａは、先端縁と、その先端縁に形成された複数の下凸部２０１ａと、当該先端縁に形成された複数の下凹部２０２ａとを含む。下凸部２０１ａおよび下凹部２０２ａは、連続して交互に並んでいる。第１上フラップ３０ａは、先端縁と、当該先端縁に形成された複数の上凸部３０１ａと、当該先端縁に形成された複数の上凹部３０２ａとを含む。上凸部３０１ａおよび上凹部３０２ａは、連続して交互に並んでいる。
【００６５】
第３および第４下フラップ２０ｃ，２０ｄも、それぞれ、その先端縁に形成され、連続して交互に並ぶ複数の下凸部２０１ｃ，２０１ｄおよび下凹部２０２ｃ，２０２ｄを含む。第３および第４上フラップ３０ｃ，３０ｄも、それぞれ、その先端縁に形成され、連続して交互に並ぶ複数の上凸部３０１ｃ，３０１ｄおよび上凹部３０２ｃ，３０２ｄを含む。
【００６６】
第２下フラップ２０ｂおよび第２上フラップ３０ｂは、第１実施形態と同様に互いに連続して設けられている。
【００６７】
下凸部２０１ａ，２０１ｃ，２０１ｄおよび上凸部３０１ａ，３０１ｃ，３０１ｄは、それぞれ、尖った先端を有する。これに代えて、下凸部２０１ａ，２０１ｂ，２０１ｃおよび上凸部３０１ａ、３０１ｂ、３０１ｃは、丸みをおびた先端を有してもよい。下凹部２０２ａ，２０２ｃ，２０２ｄおよび上凹部３０２ｃ，３０２ｃ，３０２ｄは、それぞれ、上記の凸部と係合する（かみ合う）形状を有する。
【００６８】
下凸部２０１ａ、下凹部２０２ａ、上凸部３０１ａ、上凹部３０２ａは、第１下フラップ２０ａおよび第１上フラップ３０ａが互いに対向するとき、下凸部２０１ａと上凹部３０２ａとが互いに対向しかつ下凹部２０２ａと上凸部３０１ａとが互いに対向するように、配置されている。すなわち、下凸部２０１ａおよび上凹部３０２ａは、第１下フラップ２０ａおよび第１上フラップ３０ａが互いに向かって折り曲げられたとき、互いに係合するように設けられている。そして、下凹部２０２ａと上凸部３０１ａとは、第１下フラップ２０ａおよび第１上フラップ３０ａが互いに向かって折り曲げられたとき、互いに係合するように設けられている。
【００６９】
この配置は、第３および第４フラップ２０ｃ，２０ｄ，３０ｃ，３０ｄの下凸部２０１ｃ，２０１ｄ、下凹部２０２ｃ，２０２ｄ、上凸部３０１ｃ，３０１ｄ、および、上凹部３０２ｃ，３０２ｄにも同様に適用されている。
【００７０】
この実施形態でも、物品Ｐが底蓋２上に置かれる。そして、図１０の通り、梱包箱１が第１実施形態と同様に接続縁１０に沿って折り曲げられて、物品Ｐが底蓋２と天蓋３との間に配置され、第１、第３および第４下フラップ２０ａ，２０ｃ，２０ｄが、第１、第３および第４上フラップ３０ａ，３０ｃ，３０ｄにそれぞれ対向する。このとき、下凸部２０１ａ，２０１ｃ,２０１ｄと上凹部３０２ａ,３０２ｃ,３０２ｄとが互いに対向し、下凹部２０２ａ，２０２ｃ,２０２ｄと上凸部３０１ａ,３０１ｃ,３０１ｄとが互いに対向する。そして、上記の実施形態と同様に、梱包箱１がフィルム４によって包まれた後、フィルム４が収縮される。
【００７１】
この実施形態では、図１１、図１２の通り、第１下フラップ２０ａおよび第１上フラップ３０ａがフィルム４の収縮力によって折り曲げられて、下凸部２０１ａが上凹部３０２ａに受けられ上凹部３０２ａに係合するとともに、上凸部３０１ａが下凹部２０２ａに受けられ下凹部２０２ａに係合する。この係合（かみ合い）によって、底蓋２および天蓋３が互いに対してずれることが防止される。
【００７２】
なお、フラップの折曲げ角度が９０°未満のとき、互いに係合する凸部と凹部との間に隙間が形成される。しかしながら、この隙間は小さく、梱包された物品Ｐの内容は知得さることはほぼない。折曲げ角度が９０°のとき、凸部と凹部とが互いに隙間なくぴったりと係合する（完全にかみ合う）。図１３に例示の通り、下凸部２０１ａと上凹部３０２ａとが互いに隙間なくぴったりと係合し、下凹部２０２ａと上凸部３０１ａとが互いに隙間なくぴったりと係合する。
【００７３】
同様に、第３下フラップ２０ｃおよび第３上フラップ３０ｃが、フィルム４の収縮によって折り曲げられて、下凸部２０１ｃが、上凹部３０２ｃに係合するとともに、上凸部３０１ｃが、下凹部２０２ｃに係合する。第４下フラップ２０ｄおよび第４上フラップ３０ｄが、フィルム４の収縮によって折り曲げられて、下凸部２０１ｄが、上凹部３０２ｄに係合するとともに、上凸部３０１ｄが、下凹部２０２ｄに係合する。これらの係合（かみ合い）によって、底蓋２および天蓋３が互いに対してずれることがより確実に防止される。
【００７４】
その結果、梱包箱１が閉じられ、物品Ｐが梱包箱１およびフィルム４によって梱包される。
【００７５】
直線形状の先端縁の場合、フラップが曲げられすぎて梱包箱１の内側に入り込むことがある。一方、第３実施形態の波形形状の先端縁の場合、これを防止することができる。
【００７６】
［第４実施形態］
図１４は、第４実施形態の梱包箱の展開図を示す。この実施形態の梱包箱１は、第２実施形態と同様に、第２下フラップ２０ｂおよび第２上フラップ３０ｂがつながっていない。したがって、底蓋２および天蓋３が互いに分離されている。第３実施形態と同様に、第１下フラップ２０ａは、第１下凸部２０１ａおよび第１下凹部２０２ａを含み、第１上フラップ３０ａは、第１上凸部３０１ａおよび第１上凹部３０２ａを含む。
【００７７】
第２下フラップ２０ｂは、その先端縁に形成された複数の第２下凸部２０１ｂと、当該先端縁に形成された複数の第２下凹部２０２ｂとを含む。第２下凸部２０１ｂおよび第２下凹部２０２ｂは、連続して交互に並んでいる。第２上フラップ３０ｂは、その先端縁に形成された複数の第２上凸部３０１ｂと、当該先端縁に形成された複数の第２上凹部３０２ｂとを含む。第２上凸部３０１ｂおよび第２上凹部３０２ｂは、連続して交互に並んでいる。
【００７８】
第２下凸部２０１ｂ、第２下凹部２０２ａ、第２上凸部３０１ａ、および、第２上凹部３０２ａは、第２下フラップ２０ｂおよび第２上フラップ３０ｂが互いに対向するとき、第２下凸部２０１ｂと第２上凹部３０２ｂとが互いに対向しかつ第２下凹部２０２ｂと第２上凸部３０１ｂとが互いに対向するように、配置されている。すなわち、第２下凸部２０１ｂおよび第２上凹部３０２ｂは、第２下フラップ２０ｂおよび第２上フラップ３０ｂが互いに向かって折り曲げられたとき、互いに係合するように設けられている。第２下凹部２０２ｂと第２上凸部３０１ｂとは、第２下フラップ２０ｂおよび第２上フラップ３０ｂが互いに向かって折り曲げられたとき、互いに係合するように設けられている。
【００７９】
第３実施形態と同様に、第３下フラップ２０ｃは、第３下凸部２０１ｃおよび第３下凹部２０２ｃを含み、第３上フラップ３０ｃは、第３上凸部３０１ｃおよび第３上凹部３０２ｃを含む。第４下フラップ２０ｄは、第４下凸部２０１ｄおよび第４下凹部２０２ｄを含み、第４上フラップ３０ｄは、第４上凸部３０１ｄおよび第４上凹部３０２ｄを含む。
【００８０】
この実施形態の梱包方法では、物品Ｐが底蓋２上に置かれる。次いで、第２実施形態と同様に、下フラップ２０ａ−２０ｄが、上フラップ３０ａ−３０ｄにそれぞれ対向するように、天蓋３が物品Ｐに被せられ、物品Ｐは、底蓋２と天蓋３との間に配置される。このとき、第１−第４下凸部２０１ａ−２０１ｄが、第１−第４上凹部３０２ａ−３０２ｄとそれぞれ対向し、第１−第４上凸部３０１ａ−３０１ｄが、第１−第４下凹部２０２ａ−２０２ｄとそれぞれ対向する。梱包箱１がフィルム４によって包まれた後、フィルム４が収縮される。
【００８１】
フィルム４の収縮が利用されて、下凸部２０１ａ，２０１ｃ，２０１ｄが上凹部３０２ａ，３０２ｃ，３０２ｄにそれぞれ係合し、かつ、上凸部３０１ａ，３０１ｃ，３０１ｄが下凹部２０２ａ，２０２ｃ，２０２ｄにそれぞれ係合することは、第３実施形態と同様である。さらに、この実施形態では、第２下フラップ２０ｂおよび第２上フラップ３０ｂが、フィルム４の収縮によって折り曲げられて、第２下凸部２０１ｂが第２上凹部３０２ｂに受けられ第２上凹部３０２ｂに係合するとともに、第２上凸部３０１ｂが第２下凹部２０２ｂに受けられ第２下凹部２０２ｂに係合する。
【００８２】
その結果、図１５の通り、梱包箱１が閉じられ、物品Ｐが梱包箱１およびフィルム４によって梱包される。
【００８３】
［第５実施形態］
図１６は、第５実施形態の梱包箱１の展開図を示す。この実施形態では、フラップ２０ａ，２０ｂ，３０ａ，３０ｂは、それぞれ、波形形状の先端縁を有する。凸部２０１ａ，２０１ｂ，３０１ａ，３０１ｂは、それぞれ、丸みをおびた先端を有する。そして、凹部２０２ａ，２０２ｂ，３０２ａ，３０２ｂは、それぞれ、上記の凸部と係合する（かみ合う）形状を有する。一方、フラップ２０ｃ，２０ｄ，３０ｃ，３０ｄは、それぞれ、波形形状の先端縁ではなく、直線形状の先端縁２００ｃ，２００ｄ，３００ｃ，３００ｄを有する。
【００８４】
この実施形態の梱包方法では、第４実施形態と同様に、物品Ｐが底蓋２上に置かれる。次いで、下フラップ２０ａ−２０ｄが、上フラップ３０ａ−３０ｄにそれぞれ対向するように、天蓋３が物品Ｐに被せられて、物品Ｐは、底蓋２と天蓋３との間に配置される。このとき、下凸部２０１ａ，２０１ｂが、上凹部３０２ａ，３０２ｂとそれぞれ対向し、上凸部３０１ａ，３０１ｂが、下凹部２０２ａ，２０２ｂとそれぞれ対向する。そして、梱包箱１がフィルム４によって包まれた後、フィルム４が収縮される。
【００８５】
第４実施形態と同様に、フィルム４の収縮が利用されて、下凸部２０１ａ，２０１ｂが上凹部３０２ａ，３０２ｂにそれぞれ係合するとともに、上凸部３０１ａ，３０１ｂが下凹部２０２ａ，２０２ｂにそれぞれ係合する。また、第１実施形態と同様に、フィルム４の収縮が利用されて、先端縁２００ｃと先端縁３００ｃとが互いに線接触し、かつ、先端縁２００ｄと先端縁３００ｄとが互いに線接触する。
【００８６】
その結果、梱包箱１が閉じられ、物品Ｐが梱包箱１およびフィルム４によって梱包される。
【００８７】
以上、本発明の好ましい実施形態について説明されたが、本発明は、上記構成に限定されるものではない。底蓋２や天蓋３は、長方形状に限定されるものではなく、五角形、六角形などの多角形状でよい。多角形状の底蓋２の各底縁に下フラップが設けられ、多角形状の天蓋３の各天縁に上フラップが設けられてよい。底蓋２や天蓋３は、多角形状以外の他の形状であってもよい。
【００８８】
凸部および凹部の数は、梱包箱１の大きさなどに応じて適宜決定されるものであり、実施形態の例示に限定されるものではない。１つの凸部および１つの凹部が、一対の上フラップおよび下フラップのそれぞれに対して設けられるだけでもよい。
【００８９】
上記実施形態において、第３および第４フラップ２０ｃ，２０ｄ，３０ｃ，３０ｄは、省略されてもよい。例えば、物品Ｐが書籍であれば、第１下フラップ２０ａおよび第１上フラップ３０ａだけで、書籍の背に記載されたタイトルを第三者がそれを知得するのを防止できる。
【００９０】
上記実施形態では、フィルム４としてシュリンクフィルムが用いられ、フィルム４が熱によって収縮されるものであった。これに代えて、フィルム４として、テンションを付与して伸張させると、その後に自発的に収縮する自己収縮性を有するフィルム（常温収縮フィルム）が用いられてもよい。このような、フィルムは、例えば特開2018-177375号に開示されている。
【００９１】
梱包箱１は、ダンボールのような紙に代えて、プラスチックからなってもよい。物品Ｐは、書籍、ＣＤ、ＤＶＤ以外のものであってもよい。複数の物品Ｐが、１つの梱包箱１に梱包されてもよい。物品Ｐは、直方形状に限られない。他の形状を有する物品Ｐが、上記の梱包方法によって梱包されてもよい。
【符号の説明】
【００９２】
１  梱包箱
１０  接続縁
２  底蓋
２０ａ−２０ｄ  下フラップ
２１ａ−２０ｄ  底縁
２００ａ−２００ｄ  直線状の先端縁
２０１ａ−２０１ｄ  下凸部
２０２ａ−２０２ｄ  下凹部
３  天蓋
３０ａ−３０ｄ  上フラップ
３１ａ−３０ｄ  天縁
３００ａ−３００ｄ  直線状の先端縁
３０１ａ−３０１ｄ  上凸部
３０２ａ−３０２ｄ  上凹部
４  フィルム
【図１】
2019119528.tif 000003
【図２】
2019119528.tif 000004
【図３】
2019119528.tif 000005
【図４】
2019119528.tif 000006
【図５】
2019119528.tif 000007
【図６】
2019119528.tif 000008
【図７】
2019119528.tif 000009
【図８】
2019119528.tif 000010
【図９】
2019119528.tif 000011
【図１０】
2019119528.tif 000012
【図１１】
2019119528.tif 000013
【図１２】
2019119528.tif 000014
【図１３】
2019119528.tif 000015
【図１４】
2019119528.tif 000016
【図１５】
2019119528.tif 000017
【図１６】
2019119528.tif 000018